(57)【要約】  隣接する導体の平衡対の配向および位置付けを利用して、クロストークを低減する通信システムにおいて用いられる導体およびコネクタの構成が開示される。これらの導体およびコネクタの構成は、単一送信路の隣接する平衡対間のクロストークを低減するか、または異なる送信路に位置する隣接する平衡対の間のエイリアンクロストークを低減するのに用いられる。
2008521180.tif 000002
【特許請求の範囲】
【請求項１】
データ送信システムにおける第一および第二のケーブル間のクロストークを低減する方法であって、各ケーブルは、一対の導体を備えており、
該第一のケーブルの該一対の導体の第一の導体と相互接続される第一のコンタクトを提供し、前記第一のコンタクトは、第一の信号を発するステップと、
一対のコンタクトを提供し、前記一対のコンタクトの各々は、該第二のケーブルの該一対の導体の異なる導体と相互接続されるステップと、
前記第二の対のコンタクトの一方で受信される前記第一の信号の振幅が、前記第二の対のコンタクトの他方で受信される前記第一の信号の振幅と実質的に同じになるように、前記一対のコンタクトに対して前記第一のコンタクトを位置決めするステップと
を備える方法。
【請求項２】
該第一のケーブルの該一対の導体の第二の導体と相互接続される第二のコンタクトを提供し、前記第二のコンタクトは、第二の信号を発信するステップと、前記第二の対のコンタクトの一方で受信される前記第二の信号の振幅が、前記第二の対のコンタクトの他方で受信される前記第二の信号の振幅と実質的に同じになるように、前記一対のコンタクトに対して前記第二のコンタクトを位置決めするステップをさらに備える請求項１に記載の方法。
【請求項３】
前記コンタクトの各々は、実質的に平坦であり、かつ前記位置決めステップは、前記第一のコンタクトの横長の面が前記一対のコンタクトの各々の横長の面に垂直となるような前記コンタクトの配向を備える請求項１に記載の方法。
【請求項４】
前記位置決めステップは、前記第一のコンタクトの周りへの前記一対のコンタクトの対称的な配置を備える請求項１に記載の方法。
【請求項５】
前記位置決めステップは、前記一対のコンタクトの各々から等距離への前記第一のコンタクトの配置を備える請求項１に記載の方法。
【請求項６】
前記一対のコンタクトの各々は実質的に平坦であり、前記位置決めステップは、前記一対のコンタクトのいずれかの横長の面への法線が、前記第一のコンタクトと交差しないような前記第一のコンタクトの配置を備える請求項１に記載の方法。
【請求項７】
該一対の導体の各々がねじられている請求項１に記載の方法。
【請求項８】
該一対の導体の各々が並行である請求項１に記載の方法。
【請求項９】
データ送信システムにおける第一および第二のケーブル間のクロストークを低減する方法であって、該ケーブルの各々は、一対の導体を備え、
一対の導体を提供し、前記一対のコンタクトの各々は、該第一のケーブルの該一対の導体の異なる導体と相互接続され、前記一対の導体の一方が、前記一対のコンタクトの他方が発する第二の信号を実質的に反転させた第一の信号を発するステップと、
該第二のケーブルの該一対の導体の一方と相互接続される少なくとも一つの第一のコンタクトを提供するステップと、
前記第一のコンタクトが受信する前記第一の信号の振幅が、前記第一のコンタクトが受信する前記第二の信号の振幅と実質的に反対となるように、前記第一のコンタクトに対して前記一対のコンタクトを位置決めするステップと
を備える方法。
【請求項１０】
該第二のケーブルの該一対の導体の第二の導体と相互接続される第二のコンタクトを提供するステップと、前記第二のコンタクトが受信する前記第一の信号の振幅が、前記第二のコンタクトが受信する前記第二の信号の振幅と実質的に反対となるように、前記第二のコンタクトに対して前記一対のコンタクトを位置決めするステップをさらに備える請求項９に記載の方法。
【請求項１１】
前記コンタクトの各々が実質的に平坦であり、前記位置決めステップが、前記第一のコンタクトの横長の面が前記一対の導体のいずれかの長い面に垂直となるような前記コンタクトの配向を備える請求項９に記載の方法。
【請求項１２】
前記位置決めステップが、前記第一のコンタクトの周りへの前記一対のコンタクトの対称的な配置を備える請求項９に記載の方法。
【請求項１３】
前記位置決めステップは、前記一対のコンタクトの各々から等距離への前記第一のコンタクトの配置を備える請求項９に記載の方法。
【請求項１４】
前記一対のコンタクトの各々は実質的に平坦であり、前記位置決めステップは、前記一対のコンタクトのいずれかの横長の面への法線が前記第一のコンタクトと交差しないような前記第一のコンタクトの配置を備える請求項９に記載の方法。
【請求項１５】
通信システムにおいて第一および第二のケーブルを終端する組み立て体であって、各ケーブルは第一および第二の導体を備え、
該第一のケーブルの第一の導体と相互接続される第一のコンタクトであって、第一の信号を発信する前記第一のコンタクトと、
該第二のケーブルの第一および第二の導体の一方とそれぞれ相互接続される一対のコンタクトと
を備え、前記一対の導体の一方で受信される前記第一の信号の振幅が、前記一対のコンタクトの他方で受信される前記第一の信号の振幅と実質的に同じになるように、前記第一のコンタクトが前記一対のコンタクトに対して位置決めされる組み立て体。
【請求項１６】
該第一のケーブルの第二の導体と相互接続される第二のコンタクトをさらに備え、前記第二のコンタクトは第二の信号を発信し、かつ前記一対のコンタクトの一方で受信される前記第二の信号の振幅が、前記一対のコンタクトの他方で受信される前記第二の信号の振幅と実質的に同じになるように、前記第二のコンタクトが前記一対のコンタクトに対して位置決めされる請求項１５に記載の組み立て体。
【請求項１７】
前記第一および第二のコンタクトが実質的に平坦であり、かつ前記第一のコンタクトの横長の面が前記第二のコンタクトの横長の面と並行である請求項１６に記載の組み立て体。
【請求項１８】
前記第一のコンタクトの前記横長の面が前記第二のコンタクトの前記横長の面と反対側に配置される請求項１７に記載の組み立て体。
【請求項１９】
前記一対のコンタクトが実質的に平坦であり、かつさらに前記第一のコンタクトの前記横長の面と前記第二のコンタクトの前記横長の面とが前記一対のコンタクトのいずれかの横長の面に対して直角をなす請求項１７に記載の組み立て体。
【請求項２０】
前記コンタクトが該組み立て体の第一の面上に配置され、かつその第二の面に成型されるケーブルプラグを受け入れるのに適した複数のソケットを備え、前記ソケットの一番目と二番目がその中に配置される複数のコネクタブレードを備え、前記第一のソケットの前記ブレードの一つが前記第一のコンタクトと相互接続され、かつ前記第二のソケットの一対のブレードがそれぞれ前記一対のコンタクトの一つと相互接続される請求項１５に記載の組み立て体。
【請求項２１】
さらにパッチパネルを備え、かつ前記第一のコンタクトが第一のモジュラーコネクタの第一の面に配置され、前記一対のコンタクトが第二のモジュラーコネクタの第一の面に配置され、前記コネクタは該パッチパネルに挿入されるように適合されている請求項１５に記載の組み立て体。
【請求項２２】
前記コネクタは前記パッチパネルにおいて横に並べて配置される請求項２１に記載の組み立て体。
【請求項２３】
前記コネクタは前記パッチパネルにおいて上下に重ねて配置される請求項２１に記載の組み立て体。
【請求項２４】
前記コネクタの各々は、その第二の面上に成型されるケーブルプラグを受け入れるように適合されるソケットをさらに備え、前記ソケットの各々は、その中に配置される複数のコネクタブレードを有し、前記第一のコネクタの前記ソケットの前記ブレードの一つは前記第一のコンタクトと相互接続され、かつ前記第二のコネクタの前記ソケットの一対のブレードはそれぞれ前記第二の対のコンタクトの一つと相互接続される請求項２１に記載の組み立て体。
【請求項２５】
前記モジュラーコネクタは、モジュラージャックである請求項２１または２４に記載の組み立て体。
【請求項２６】
各ケーブルが４つの撚り線対の導体を備え、かつ前記ソケットの各々がその中に配置される８つのブレードを備える請求項２０に記載の組み立て体。
【請求項２７】
前記ソケットの各々が、ＲＪ‐４５コネクタプラグを受け入れるよう適合される請求項２０または２４に記載の組み立て体。
【請求項２８】
前記一対のコンタクトが、前記第一のコンタクトの周りに対称的に位置付けられる請求項１５に記載の組み立て体。
【請求項２９】
前記コンタクトが実質的に平坦であり、かつ前記第一のコンタクトが前記一対のコンタクトに対して直角をなす請求項１５に記載の組み立て体。
【請求項３０】
前記一対の平坦なコンタクトは、並行に配置される請求項２９に記載の組み立て体。
【請求項３１】
前記一対の平坦なコンタクトは、同一平面に横たわる請求項２９に記載の組み立て体。
【請求項３２】
前記平坦なコンタクトは、ＩＤＣである請求項２９に記載の組み立て体。
【請求項３３】
通信システムにおける第一および第二のケーブルを終端する組み立て体であって、各ケーブルが一対の導体を備え、
第一のケーブルの該一対の導体と相互接続される一対のコンタクトであって、前記一対のコンタクトの一方は、前記一対のコンタクトの他方が発信する第二の信号を実質的に反転させた第一の信号を発信する一対のコンタクトと、
第二のケーブルの該一対の導体の第一の導体と相互接続される第一のコンタクトと
を備え、前記第一のコンタクトが受信する前記第一の信号の振幅が、前記第二のコンタクトが受信する前記第二の信号の振幅と実質的に反対となるように、前記一対のコンタクトが前記第一のコンタクトに対して位置付けられる組み立て体。
【請求項３４】
第二のケーブルの該一対の導体の第二の導体と相互接続される第二のコンタクトをさらに備え、かつ前記第二のコンタクトが受信する前記第一の信号の振幅が、前記第二のコンタクトが受信する前記第二の信号の振幅と実質的に反対になるように、前記一対のコンタクトが前記第二のコンタクトに対して位置付けられる請求項３３に記載の組み立て体。
【請求項３５】
前記第一および第二のコンタクトが実質的に平坦であり、かつ前記第一のコンタクトの横長の面が前記第二のコンタクトの横長の面と並行である請求項３４に記載の組み立て体。
【請求項３６】
前記第一のコンタクトの前記横長の面と前記第二のコンタクトの前記横長の面とが同一面に横たわる請求項３５に記載の組み立て体。
【請求項３７】
前記一対のコンタクトが実質的に平坦であり、かつさらに前記第一のコンタクトの前記横長の面と前記第二のコンタクトの前記横長の面とが前記一対のコンタクトのいずれかの横長の面に対して直角をなす請求項３５に記載の組み立て体。  
【請求項３８】
通信システムにおいて第一および第二のケーブルを終端する組み立て体であって、各ケーブルは一対のコンダクタを備え、
該第一のケーブルの該一対の導体の一方と相互接続される第一の実質的に平坦なコンタクトと、
該第二のケーブルの該一対の導体の一方と相互接続され、前記第一のコンタクトは、前記第二のコンタクトに直角に配置される第二の実質的に平坦なコンタクトと
を備える組み立て体。
【請求項３９】
通信システムにおいて第一および第二のケーブルを終端する組み立て体であって、各ケーブルは一対のコンダクタを備え、
該第一のケーブルの該一対の導体の一方と相互接続される第一のコンタクトと、
該第二のケーブルの該一対の導体の一方とそれぞれが相互接続される一対のコンタクトであって、前記第一のコンタクトの周りに対称的に位置付けられる一対のコンタクトと
を備える組み立て体。
【請求項４０】
前記コンタクトが実質的に平坦であり、前記一対のコンタクトが並行であって、前記第一のコンタクトが前記一対のコンタクトに垂直である請求項３９に記載の組み立て体。
【請求項４１】
前記一対の平坦なコンタクトが、横に並べられて配列される請求項４０に記載の組み立て体。
【請求項４２】
前記一対の平坦なコンタクトが、相互に向かい合って位置決めされる請求項４０に記載の組み立て体。
【請求項４３】
前記コンタクトがＩＤＣである請求項４０に記載の組み立て体。
【請求項４４】
第一および第二の対の導体を備えるケーブルを終端するコネクタであって、
該第一の対の導体の一つの導体と相互接続される第一のコンタクトと、
該第二の対の導体の一つとそれぞれ相互接続される一対のコンタクトであって、前記第一のコンタクトの周りに対称的に位置付けられる一対のコンタクトと
を備えるコネクタ。
【請求項４５】
前記コンタクトが実質的に平坦であり、前記一対のコンタクトが並行であり、かつ前記第一のコンタクトが前記一対のコンタクトに垂直である請求項４４に記載のコネクタ。
【請求項４６】
前記一対の平坦なコンタクトが、横に並べて配列される請求項４５に記載のコネクタ。
【請求項４７】
前記一対の平坦なコンタクトが、相互に向き合って位置付けられる請求項４５に記載のコネクタ。
【請求項４８】
前記平坦なコンタクトがＩＤＣである請求項４４に記載のコネクタ。
【請求項４９】
前記コンタクトが該コネクタの第一の面上に配置され、その第二の面において成型されるケーブルプラグを受けるよう適合されるソケットをさらに備え、前記ソケットはその中に配置される複数のコネクタブレードを備え、かつ前記コンタクトの各々は前記コネクタブレードの異なるものと相互接続される請求項４５に記載のコネクタ。
【請求項５０】
該コネクタは、モジュラーであって、パッチパネルに挿入されるよう適合される請求項４９に記載のコネクタ。
【請求項５１】
該ケーブルは、導体のねじられた４対を備え、かつ前記ソケットの各々はその中に配置される８つのブレードを備える請求項４９に記載のコネクタ。
【請求項５２】
前記ソケットは、ＲＪ‐４５コネクタプラグを受け入れるよう適合されている請求項４９または５１に記載のコネクタ。
【請求項５３】
第一および第二の対の導体を備えるケーブルを終端するコネクタであって、
該第一の対の導体の一つの導体と相互接続される第一の実質的に平坦なコンタクトと、
該第二の対の導体の第一の導体と相互接続される第二の実質的に平坦なコンタクトであって、前記第一の平坦なコンタクトは、前記第二の平坦なコンタクトに実質的に直角である第二の実質的に平坦なコンタクトと
を備えるコネクタ。
【請求項５４】
前記第二の平坦なコンタクトと整列される第三の実質的に平坦なコンタクトをさらに備え、前記第三の平坦なコンタクトは、第二の対の導体の第二の導体と相互接続され、かつ前記第二および第三のコンタクトは、前記第一のコンタクトの周りに対称的に配置される５３に記載のコネクタ。
【請求項５５】
データ送信システムにおけるクロストークを低減する方法であって、
少なくとも一つの導体を備える第一の送信路を提供し、前記第一の導体は信号を発信するステップと、
第二の対の導体を備える第二の送信路を提供するステップと、
前記第二の対の導体の一方で受信される前記信号の振幅が、前記第二の対の導体の他方で受信される前記信号の振幅と実質的に同じになるように、前記第二の対の導体に対して前記第一の導体を位置付けるステップと
を備える方法。
【請求項５６】
前記導体の各々が印刷回路基板（ＰＣＢ）上にエッチングされた導体跡を備える請求項５５に記載の方法。
【請求項５７】
前記第一および第二の送信路をケーブルの筐体で取り囲むステップをさらに備える請求項５５に記載の方法。
【請求項５８】
前記第一の送信路がさらに第二の導体を備え、前記第二の導体は第二の信号を発信し、かつ前記第二の対のコンタクトの一方で受信される前記第二の信号の振幅が、前記第二の対のコンタクトの他方で受信される前記第二の信号の振幅と実質的に同じになるように、前記一対の導体に対して前記第二の導体を位置付けするステップをさらに備える請求項５５に記載の方法。
【請求項５９】
前記位置付けのステップが、前記第一の導体の周りへの前記一対の導体の対称的な配置を備える請求項５５に記載の方法。
【請求項６０】
前記導体が並行に配置される請求項５５に記載の方法。
【請求項６１】
前記位置付けのステップが、前記一対の導体の各々から同じ距離への前記第一の導体の配置を備える請求項５５に記載の方法。
【請求項６２】
前記導体の各々が横長の横断面を備え、かつ前記位置付けのステップが、前記一対の導体のいずれかの横長の面への法線が前記第一の導体と交差しないような前記第一の導体の配置を備える請求項５５に記載の方法。
【請求項６３】
前記導体の各々が横長の横断面を備え、かつ前記位置付けのステップが、前記第一の導体の横長の面が前記一対の導体の各々の横長の面と垂直になるような前記導体の配向を備える請求項５５に記載の方法。
【請求項６４】
データ送信システムにおいてクロストークを低減する方法であって、
第一の導体を備える第一の送信路を提供し、
一対の導体を備える第二の送信路を提供し、前記一対の導体の一方は、前記一対の導体の他方が発信する第二の信号を実質的に反転させた第一の信号を発信するステップと、
前記第一の導体が受信する前記第一の信号の振幅が、前記第一の導体が受信する前記第二の信号の振幅と実質的に反対になるように前記第一の導体に対して前記一対の導体を位置付けするステップと
を備える方法。
【請求項６５】
前記第一の送信路は、さらに第二の導体を備え、かつ前記第二の導体が受信する前記第一の信号の振幅が、前記第二の導体が受信する前記第二の信号の振幅と実質的に反対になるように、前記第二の導体に対して前記一対の導体を位置付けるステップをさらに備える請求項６４に記載の方法。
【請求項６６】
前記位置付けのステップは、前記一対の導体の前記第一の導体の周りへの対称的な配置を備える請求項６４に記載の方法。
【請求項６７】
前記導体は並行に配置される請求項６４に記載の方法。
【請求項６８】
前記位置付けのステップは、前記一対の導体の各々から同じ距離への前記第一の導体の配置を備える請求項６４に記載の方法。
【請求項６９】
前記導体の各々は横長の横断面を備え、かつ前記位置付けのステップは、前記一対の導体のいずれかの横長の面への法線が前記第一の導体に交わらないような前記第一の導体の配置を備える請求項６４に記載の方法。
【請求項７０】
前記導体の各々は横長の横断面を備え、かつ前記位置付けのステップが、前記第一の導体の横長の面が前記一対の導体の各々の横長の面に垂直となるような前記導体の配向を備える請求項６４に記載の方法。
【請求項７１】
データを送信する組み立て体であって、
第一の導体を備える第一の送信路であって、前記第一の導体は第一の信号を発信する第一の送信路と、
一対の導体を備える第二の送信路と
を備え、前記一対の導体の一方で受信される前記第一の信号の振幅は、前記一対の導体の他方で受信される前記第一の信号の振幅と実質的に同じになるように、前記第一の導体が前記一対の導体に対して位置付けされる組み立て体。
【請求項７２】
前記導体の各々が印刷回路基板（ＰＣＢ）上の導体跡を備える請求項７１に記載の組み立て体。
【請求項７３】
前記導体の全てが並行である請求項７１に記載の組み立て体。
【請求項７４】
前記一対の導体の各々が前記第一の導体から実質的に等距離である請求項７１に記載の組み立て体。
【請求項７５】
前記導体の各々が外部侮辱層をさらに備え、かつ該組み立て体が前記導体を取り囲むケーブルジャケットをさらに備える請求項７１に記載の組み立て体。
【請求項７６】
前記第一の送信路が第二の導体をさらに備え、前記第二の導体は第二の信号を発信し、かつ前記第二の対の導体の一方で受信される前記第二の信号の振幅が、前記第二の対の導体の他方で受信される前記第二の信号の振幅と実質的に同じになるように前記第二の導体が位置付けられる請求項７１に記載の組み立て体。
【請求項７７】
前記第一および第二の導体が並行である請求項７６に記載の組み立て体。
【請求項７８】
前記一対の導体が並行であり、かつさらに前記第一の導体が前記第二の導体と前記一対の導体との間に位置付けられる請求項７７に記載の組み立て体。
【請求項７９】
データを送信する組み立て体であって、
第一の導体を備える第一の送信路と、
一対の導体を備える第二の送信路であって、前記一対の導体の一方が、前記一対の導体の他方が発信する第二の信号を実質的に反転させた第一の信号を発信する第二の送信路と
を備え、前記第一の導体によって受信される前記第一の信号の振幅が、前記第一の導体が受信する前記第二の信号の振幅と実質的に反対になるように、前記第一の導体が前記一対の導体に対して位置付けられる組み立て体。
【請求項８０】
前記導体の各々が印刷回路基板（ＰＣＢ）上の導体跡を備える請求項７９に記載の組み立て体。
【請求項８１】
前記導体の全てが並行である請求項７９に記載の組み立て体。
【請求項８２】
前記一対の導体の各々が前記第一の導体から実質的に等距離にある請求項７９に記載の組み立て体。
【請求項８３】
前記導体の各々が外部絶縁層を備え、かつ該組み立て体が、前記導体を取り囲むケーブルジャケットをさらに備える請求項７９に記載の組み立て体。
【請求項８４】
前記第一の送信路がさらに第二の導体を備え、かつさらに前記第二の導体で受信される前記第一の信号の振幅が、前記第二の導体で受信される前記第二の信号の振幅と実質的に反対になるように、前記第二の導体が位置決めされる請求項７９に記載の組み立て体。
【請求項８５】
前記第一および第二の導体が並行である請求項８４に記載の組み立て体。
【請求項８６】
前記一対の導体が並行であり、かつさらに前記第一の導体が前記第二の導体と前記一対の導体との間に位置決めされる請求項８５に記載の組み立て体。
【請求項８７】
データ送信ケーブルであって、
第一の導体と、
前記第一の導体と並行に配置される一対の導体と、
前記第一の導体と前記一対の導体を取り囲むケーブルジャケットと
を含み、前記第一の導体と前記一対の導体の各々との間の距離が実質的に同じであるデータ送信ケーブル。
【請求項８８】
前記第一の導体に並行でかつ前記ケーブルジャケットに取り囲まれる第二の導体をさらに備え、前記第二の導体と前記一対の導体の各々との間の距離が実質的に同じである請求項８７に記載のケーブル。
【請求項８９】
前記第一の導体と前記第二の導体との間の距離が、前記一対の導体の間の距離と実質的に同じである請求項８８に記載のケーブル。
【請求項９０】
前記第一の導体を前記一対の導体から分離するセパレータースプラインをさらに備える請求項８７に記載のケーブル。
【請求項９１】
該ケーブルが４対の並行な導体を備え、かつ前記スプラインは卍型の横断面を有する請求項８７に記載のケーブル。
【請求項９２】
前記導体は、実質的に平坦な横断面を有し、かつさらに前記第一の導体は、前記一対の導体に直角に配置される請求項８７に記載のケーブル。
【請求項９３】
前記導体は、実質的に平坦な横断面を有し、かつさらに前記第一および第二の導体は、前記一対の導体に直角に配置される請求項８８に記載のケーブル。
【請求項９４】
データ送信ケーブルであって、
第一の平面上に配列される並行な第一の対の導体と、
第二の平面上に配列される第二の対の導体と
を備え、前記第一の平面は前記第二の平面に対し実質的に直角であって、かつ前記第一の平面は、実質的に導体の前記第二の対の間にある軸に沿って前記第二の平面と交差するデータ送信ケーブル。
【請求項９５】
前記第一の対の導体間の間隔は、前記第二の対の導体間の間隔に実質的に等しい請求項９４に記載のケーブル。
【請求項９６】
前記第一の平面に実質的に並行な第三の面上に配列される並行な第三の対の導体および前記第二の平面に実質的に並行な第四の平面上に配列される並行な第四の対の導体をさらに備え、前記第三の平面が、実質的に前記第四の対の導体の間にある軸に沿って前記第四の平面と交差する請求項９４に記載のケーブル。
【請求項９７】
前記第二の平面が、実質的に前記第三の対の導体の間にある軸に沿って前記第三の平面と交差し、かつ前記第四の平面が、実質的に前記第一の対の導体の間にある軸に沿って前記第一の平面と交差する請求項９６に記載のケーブル。
【請求項９８】
前記一対の導体が、該ケーブルに沿って走る中央軸の周りに配置され、かつさらに、前記平面は該ケーブルの長さに沿った前記軸の周りに螺旋状に曲がっている請求項９７に記載のケーブル。
【請求項９９】
前記一対の導体を分離するセパレータースプラインをさらに備える請求項９７に記載のケーブル。
【請求項１００】
前記スプラインは卍型の横断面を有する請求項９９に記載のケーブル。
【請求項１０１】
前記導体は実質的に平坦な横断面を有し、かつさらに、第一の対の導体の前記平坦な横断面が前記第一の平面と整列され、かつ前記第二の対の導体の前記平坦な横断面が前記第一の平面と整列される請求項９４に記載のケーブル。
【請求項１０２】
コミュニケーションケーブルにおける一対の導体を分離するセパレータースプラインであって、
４つの辺を有する横長の主要部と、
前記主要部の各辺において縦に成型された導体対受けスロットと
を備え、前記成型された主要部は、卍型の横断面を有するスプライン。
【発明の詳細な説明】
【技術分野】
【０００１】
（発明に対する背景）
本発明は、コミュニケーションシステムにおけるクロストーク低減導体およびコンタクトの構成に関する。より詳しくは、本発明は、ＮＥＸＴ、ＦＥＸＴ、エイリアンＮＥＸＴ、エイリアンＦＥＸＴを低減して信号対ノイズ比（ＳＮＲ）を増大するために、コミュニケーションシステムにおいて受信導体路を位置決め発信することに関する。
【背景技術】
【０００２】
（発明の背景）
撚り線対の導体を介して高い周波数で通信信号を送信する組み立て体では、現在、システムにおいて隣接するケーブルやコネクタ間の（エイリアンＮＥＸＴのような）干渉を確実に最小化するシールドのような種々の手段が用いられている。これらの従来のシステムでは、典型的には、隣接するケーブルやコネクタ間のエイリアンＮＥＸＴの低減が、毎秒１０ギガ以上のデータ転送のためには不十分であるという障害を被っている。とりわけ、ポート（またはジャック）の、現存するデザインは、およそ５５ｄＢのＳＮＲを達成するのにしか十分ではなく、提案されている１０ギガの開発基準に必要な、提案されている７０ｄＢのＳＮＲを満たすのにも不十分である。
【発明の開示】
【課題を解決するための手段】
【０００３】
（発明の概要）
前述のかつその他の障害を克服するために、各ケーブルが一対の導体を備えるデータ送信システムにおける、第一および第二のケーブル間のクロストークを低減する方法を提供する。その方法は、第一のケーブルの一対の導体の第一の導体と相互接続される第一のコンタクトを提供し、その第一のコンタクトは、第一の信号を発信するステップと、一対のコンタクトの各々が第二のケーブルの一対の導体の異なるコンダクタと相互接続される一対のコンタクトを提供するステップと、第二の対のコンタクトの一方で受信される信号の振幅が第二の対のコンタクトの他方で受信される信号の振幅と実質的に同じになるように、一対のコンタクトに対してその第一のコンタクトを位置決めするステップとを備える。
【０００４】
各ケーブルが一対の導体を備えるデータ送信システムにおける、第一および第二のケーブル間のクロストークを低減する方法もまた提供される。その方法は、一対のコンタクトを提供し、その一対のコンタクトの各々が第一のケーブルの一対の導体の異なる導体と相互接続され、その一対のコンタクトの一方が、その一対のコンタクトの他方から発信される第二の信号を実質的に反転させた第一の信号を発信するステップと、第二のケーブルの一対の導体の一方と相互接続される少なくとも一つの第一のコンタクトを提供するステップと、第一のコンタクトが受信する第一の信号の振幅が、第一のコンタクトが受信する第二の信号の振幅と実質的に反対になるように、第一のコンタクトに対して一対のコンタクトを位置決めするステップを備える。
【０００５】
さらには、通信システムにおいて、第一および第二のケーブルを終端する組み立て体を提供し、各ケーブルが第一および第二の導体を備え、その組み立て体が第一のケーブルの第一の導体と相互接続される第一のコンタクトを備え、その第一のコンタクトは、第一の信号を発信し、一対のコンタクトが第二のケーブルの第一および第二の導体の各々と相互接続される。その一対のコンタクトの一方が受信する第一の信号の振幅が、その一対のコンタクトの他方が受信する第一の信号の振幅と実質的に同じになるように、その第一のコンタクトがその一対のコンタクトに対して位置決めされる。
【０００６】
加えて、通信システムにおいて、第一および第二のケーブルを終端する組み立て体が提供され、そのケーブルの各々は一対の導体を備え、その組み立て体は、第一のケーブルの一対の導体と相互接続される一対のコンタクトを備え、その一対のコンタクトの一方は、その一対のコンタクトの他方が発信する第二の信号を実質的に反転した第一の信号を発信し、かつ第一のコンタクトは、第二のケーブルの一対の導体のうち第一の導体と相互接続される。第一のコンタクトが受信する第一の信号の振幅が、第二のコンタクトが受信する第二の信号の振幅と実質的に反対になるように、その一対のコンタクトが第一のコンタクトに対して位置決めされる。
【０００７】
通信システムにおいて、第一および第二のケーブルを終端する組み立て体もまた提供され、各ケーブルは一対の導体を備え、その組み立て体は、第一のケーブルの一対の導体の一方と相互接続される第一の実質的に平坦なコンタクトと、第二のケーブルの一対の導体の一方と相互接続される第二の実質的に平坦なコンタクトとを備え、第一のコンタクトは、第二のコンタクトに対し直角に配置される。
【０００８】
加えて、通信システムにおいて、第一および第二のケーブルを終端する組み立て体が提供され、各ケーブルは一対の導体を備え、その組み立て体は、第一のケーブルの一対の導体の一方と相互接続される第一のコンタクトと、第二のケーブルの一対の導体の各々と相互接続される一対のコンタクトとを備え、その一対のコンタクトは、第一のコンタクトに関して対称的に位置決めされる。
【０００９】
また、第一および第二の対の導体を備えるケーブルを終端するコネクタが提供され、そのコネクタは、第一の対の導体のうち一つの導体と相互接続される第一のコンタクトと、第二の対の導体の各々と接続される一対のコンタクトとを備え、その一対のコンタクトは、第一のコンタクトに関して対称的に位置決めされる。
【００１０】
さらには、第一および第二の対の導体を備えるケーブルを終端するコネクタもまた提供され、そのコネクタは、第一の対の導体のうち一つの導体と相互接続される第一の実質的に平坦なコンタクトと、第二の対の導体の第一の導体と相互接続される第二の実質的に平坦なコンタクトとを備え、その第一の平坦なコンタクトは、その第二のコンタクトと実質的に直角をなす。
【００１１】
加えて、データ送信システムにおいて、クロストークを低減する方法が提供される。その方法は、少なくとも一つの導体を備える第一の送信路を提供し、その第一の導体が信号を発信するステップと、第二の対の導体を備える第二の送信路を提供するステップと、その第二の対の導体の一方が受信する信号の振幅が第二の対の導体の他方が受信する信号の振幅と実質的に同じになるように、第二の対の導体に対して第一の導体を位置決めするステップとを備える。
【００１２】
データ送信システムにおけるクロストークを低減する方法もまた提供される。その方法は、第一の導体を備える第一の送信路を提供するステップと、一対の導体を備える第二の送信路を提供し、その一対の導体の一方が、その一対の導体の他方が発信する第二の信号を実質的に反転した第一の信号を発信するステップと、第一の導体が受信する第一の信号の振幅が第一の導体が受信する第二の信号の振幅と実質的に反対になるように、第一の導体に対してその一対の導体を位置決めするステップとを備える。
【００１３】
加えて、第一の導体を備える第一の送信路と、第一の信号を発信する第一の導体と、一対の導体を備える第二の送信路とを備えるデータを送信する組み立て体が提供される。一対の導体の一方が受信する第一の信号の振幅が、その一対の導体の他方が受信する第一の信号の振幅と実質的に同じとなるように、その一対の導体に対して第一の導体を位置決めする。
【００１４】
さらに、第一の導体を備える第一の送信路と、一対の導体を備える第二の送信路とを備えるデータを送信する組み立て体が提供され、その一対の導体の一方が、その一対の導体の他方が発信する第二の信号を実質的に反転させた第一の信号を発信し、第一の導体が受信する第一の信号の振幅が、第一の導体が受信する第二の信号の振幅と実質的に反対になるように、その一対の導体に対して前記第一の導体を位置決めする。
【００１５】
第一の導体と、その第一の導体に並行に配置される一対の導体と、その第一の導体およびその一対の導体を取り囲むケーブルジャケットとを備えるデータ送信ケーブルもまた提供される。その第一の導体とその一対の導体の各々との間の距離は、実質的に同じである。
【００１６】
第一の平面上に配列される第一の対の並行導体と、第二の平面上に配列される第二の対の導体とを備えるデータ送信ケーブルもまた提供される。その第一の平面はその第二の平面と実質的に直角をなし、第一の平面は、実質的に第二の対の導体の間にある軸に沿って第二の平面と交差する。
【００１７】
加えて、コミュニケーションケーブルにおける別々の対の導体用のセパレータースプラインも提供し、そのスプラインは、四つの辺を有する横長の主要部と、その主要部の各辺において縦に成型された導電対受けスロットとを備える。その成型された主要部は、卍型の横断面を有する。
【実施例】
【００１８】
（例示的な実施例の詳細な説明）
図１Ａを参照すると、技術上知られているように、信号（図示されていない）が（図３の横断面に示されている）第一の導体２に沿って伝播すると、その導体内の時変電流によって電磁場（または信号）４が導体６を取り囲む自由空間に生じ、すなわち、その第一の導体２は、送信アンテナに類似する振る舞いを示す。加えて、第二の導体６をこの電磁場４内に配置すると、第二の導体６内に時変電流が誘導され、あるいは換言すると、この第二の導体６は、受信アンテナと類似する振る舞いを示す（換言すると、第二の導体６は第一の導体２に結合する）。
【００１９】
図１Ｂを参照すると、通信システムにおいては、典型的には（横断面に示される）８や１０のように一対以上の導体を備える送信路に沿って信号が送信され、第二の対１０の導体において時変電流が第一の対８の導体によって誘導され、信号のノイズが第二の対１０に沿って送信され、同様の効果が、第二の対１０に沿って送信される信号により反対の方向でも生じる。高速での実施態様においては、当業者には理解されるように、このノイズは、送信される信号の質に大きな悪影響を及ぼし得る。この信号を除去または低減することで、誤り率を低減し、またデータのスループットを上昇できる。
【００２０】
なおも図１Ｂを参照すると、並行に配置される導体に対しては送信路間の結合効果がずっと大きくなるので、異なる対の導体が並列に配置される確率を低減させて、この結合効果を低減するように、ケーブルの導体が、典型的には撚りの配置が異なるように撚られる。しかしながら、特定の実施態様、例えばコネクタのインターフェース、印刷回路基板（ＰＣＢ）上またはフラットケーブル内においては、導体を典型的には、導体間の結合を上昇させる距離以上に離して並行に走らせる。
【００２１】
図１Ｃを参照すると、発信導体１２が実質的に平坦な横断面を備える場合は、導体１２に沿って伝播する信号により生成される寄生信号が、その平坦な導体１２の長い表面１６におおよそ垂直な集中した領域に発信されるので、この結合効果はさらに悪化し得る。結果として、長い表面１６の１つと反対側に位置する第二の導体１８が大きくなった寄生信号１４を受ける。他方、寄生信号１４の主要ローブの外に位置する第三の導体２０は、低減された電磁場を受け、引き続いて結合効果が低減し、平坦な導体１２に沿って伝播する信号によりノイズが誘導される。
【００２２】
導体が発する寄生電場（または信号）の効果を減少するために、数多くの戦略を用いることができる。図２Ａを参照すると、技術上知られているように、平衡対の導体２２を用いて異なる信号を伝播し、第二の導体２６が伝播する信号を本質的に反転させたものである信号を、第一の導体２４が伝播する。これらの反転信号は、導体２４と２６が発する第一および第二の異なる寄生信号２８および３０を生じさせる。結果として、並行に位置決めされ、平衡対２２に隣接する第三の導体３２が異なる寄生信号２８および３０を受信する。第三の導体３２が受信する第一の寄生信号２８および第二の寄生信号３０の両方の強度（パワー）が、実質的に同じとなるように第三の導体３２を位置決めし、例えば、導体２４および２６が第三の導体３２に関して対称的であるように第三の導体３２を配置することによって（換言すれば、第三の導体３２を導体２４および２６と等距離になるように配置することによって）、受信された第一および第二の寄生信号２８および３０の振幅がいかなる時点でも反対となって、第三の導体３２において打ち消し効果を生じる。同様の効果が、（平衡対２２と並行に且つ隣接して位置決めされる）第四の導体３４でも生じ、それはまた、受信された第一および第二の寄生信号２８と３０の強度が実質的に同じになるように配置されている。
【００２３】
図２Ｂを参照すると、図２Ａを参照して記述したのと反対の場合であって、第一の導体３８と第二の導体４０とを備える第一の平衡対３６が伝播する異なる信号によって、導体３８および４０が発する第一および第二の寄生信号４２および４４が生じる。第一および第二の導体３８および４０に並行に配置される第三および第四の導体４６および４８が、再度これらの寄生信号４２および４４を受信する。第三および第四の導体４６および４８が同じ平衡対５０のものであるとするならば、第一の寄生信号４２の受信された強度が、第三および第四の導体４６および４８の双方において同じであり、そして第二の寄生信号４４の受信された強度が、第三および第四の導体４６および４８の双方で同じとなるように、第三と第四の導体４６および４８を位置決めすることによって、共通モードのノイズのみが、第三および第四の導体４６および４８に誘導される。平衡対５０の平衡特性によって共通モードのノイズが補償される。
【００２４】
上でおおよそ記述された構成は、数多くの実施態様においてうまく利用することができるが、それらのうちのいくつかがここで以下に記述され、それらは、とりわけケーブル内、ＰＣＢ上およびコネクタインターフェース組み立て体を通る送信路の場合である。注意すべきことは、上でおおむね記述された構成は、ＮＥＸＴおよびＦＥＸＴのようなクロストークを低減するために、送信路内（例えば、４つの平衡対の導体を備える送信ケーブル内）またはＡＮＥＸＴおよびＡＦＥＸＴのようなエイリアンクロストークを低減するための（各々が４対の導体を備える異なるケーブルを終端する隣接するコネクタ間のような）送信路間で、うまく利用することができるということである。
【００２５】
フラットケーブルのようなアプリケーションにおいて、導体はおおむねケーブルの長さに沿って並行に走り、その結果、導体間の寄生信号を不利に生成するポテンシャルが増大する。図３Ａを参照すると、本発明の例示的な実施例による（横断面が示されている）ケーブル５２は、５４のような４つの平衡対を備える。図３Ａから明らかなように、５４のような隣接する平衡対の中の５６のような導体は、隣接する平衡対の導体上の１つの平衡対の導体が誘導するノイズが、差動的で有効に取り消されるか、または共通していてそれ故に補償されるように配向される。
【００２６】
図３Ｂを参照すると、本発明による（横断面が示されている）ケーブル５２の、代わりの例示的な実施例において、横長の横断面を有する５６のような導体を提供し、かつ第一の平衡対の５６におけるような導体を、隣接する平衡対の導体が発する寄生信号の主要ローブ内に入らないように配置することで、この効果をさらに高めることができる。これに関して、発せられた寄生信号の主要ローブは、５８のように横長の横断面の前におおむね位置するので、それによって、隣接する平衡対の導体が、隣接する平衡対の導体の横長の横断面に垂直な（法線となる）線６０と交差しないことがおおむね確実となる。
【００２７】
図３Ｃを参照すると、本発明の例示された第二の実施例による（横断面図が示されている）ＰＣＢ６２が示されている。ＰＣＢ６２の場合にも、６４のような平衡対の導体を配置し、各々がＰＣＢ６２においてエッチングされた６６のような、典型的には２つの導電トレースを備え、隣接する平衡対の導体上の１つの平衡対の導体が誘導するノイズが差動的であって有効に打ち消されるか、または共通していて補償されるようにして、同様の効果を得ることができる。同様に、導電トレースが典型的には平坦（または方形）であるので、隣接する平衡対の６６のような導電トレースが、隣接する平衡対の導電トレース６６の７０のような横長の横断面に垂直な（法線となる）線６８と確実に交差しないようにしてさらに改善することができる。注意すべきは、図３Ｃに開示されるようなＰＣＢ６２は、第二の層７４に結合される第一の層７２を備えており、それによって６６のような導電トレースが、第一および第二の層７２および７４の間の中央線に沿って施されている。
【００２８】
図４Ａを参照すると、本発明の例示的な第三の実施例においては、前述のものに類似するアプローチを用いて、８２のような導体の平衡対８０１、８０２、８０３および８０４が中央のケーブル軸８４の周りに配置され、かつ８２のような全ての導体が並行である（横断面が示されている）ケーブル７８においてクロストークを低減することができる。これに関して、隣接する平衡対８０２または８０４の８２のような導体上に、第一の平衡対８０１の８２のような導体が誘導するノイズが（平衡対８０４の導体の場合のように）差動的であって有効に打ち消されるか、または（バランスの取れた対８０２の導体の場合のように）共通していて補償されるように、８２のような導体は配向される。他の隣接する平衡対についても同様の効果が認められる。注意すべきは、８２のような導体は全て並行であるが、ケーブル７８の長さに沿って螺旋状の（または巻きついている）経路に従うように軸８４の周りに連なっていてもよい。
【００２９】
図４Ｂを参照すると、９０のような導体の４つの平衡対８８１、８８２、８８３および８８４を備え、本発明の例示的な第四の実施例による（横断面が示されている）ケーブル８６が示されている。９０のような導体は、全て実質的に並行に走るが、隣接する平衡対８８２または８８４の導体上に対８８１のような第一の平衡対の導体が誘導するノイズが（バランスの取れた対８８４の導体の場合のように）差動的であって有効に打ち消されるか、または（バランスの取れた対８８２の導体の場合のように）共通していて補償されるように、ケーブル８６の中央軸９２に関して相互に位置付けられる。他の隣接するバランスの取れた対についても同様の効果が認められる。加えて、性能を向上させるために、９０のような導体は、実質的に長方形（または横長の）横断面であって、各々が９４のような２つの長い面を有し、所定の平衡対８８１、８８２、８８３および８８４の９０のような導体の横長の面は、横長の断面で示されるとき、同じ平面に横たわる。９４におけるような横長の面が、隣接する平衡対の９０のような導体の９４のような横長の面に対し、実質的に直角となるように、所定の平衡対の９０のような導体が、配向される。
【００３０】
なおも図４Ｂを参照すると、９０のような導体の４つの平衡対８８１、８８２、８８３および８８４の各々が、９０のような導体を、９６のような絶縁体に入れることにより製造される。例示される９６のような絶縁体は、実質的に長方形（または横長の）横断面のもので、平衡対の位置付けを維持するために、典型的にはプラスチックのようなしなやかな非導電絶縁材料から製造され、実質的に卍型の横断面を有するセパレータースプライン９８によって支持される。加えて、９０におけるような個々の導体は、全て並行に走るけれども、導体はケーブル８６の長さに沿う螺旋状または巻きついている経路に従うように、典型的には軸９２の周りにスプライン９８と一緒に撚り合わされている。また、スプライン９８と９０のような導体の４つの平衡対８８１、８８２、８８３および８８４が、典型的にはケーブルジャケット（図示されていない）で覆われている。
【００３１】
図５を参照すると、番号１００を用いて一般に参照され、本発明の例示的な第五の実施例によるコネクタ組み立て体が記述される。コネクタ組み立て体１００は、一般には、差動的な（平衡な）送信対（通常は４対）を有するモジュラーデータ送信コネクタを示している。コネクタ１００（またはジャック）は、２つのケーブル間にインターフェースを提供するので、第一のケーブル（図示されていない）は通常、プラグ（図示されていない）で終端されていて、一方、これ以降コネクタケーブル１０２と称する第二のケーブルは、典型的には一連の圧接コネクタ（ＩＤＣ）１０６またはその他同様の接続手段を通して、コネクタ１００のバックパネル１０４に接続している。
【００３２】
図５に加えて図６を参照すると、コネクタケーブル１０２は、絶縁ケーブルジャケット１１０内に含まれる導体１０８の４つの撚り線対を備えている。それらの対は、ジャケット１１０から出てくると、ワイヤ対ガイド１１２を通ってそれぞれ個々のワイヤコネクタポート１１４へと分けて導かれる。コネクタポート１１４の双方ともコネクタ裏パネル１０４の一部である。理想的には、単一ワイヤ間に誘導される寄生容量を最小化するために、撚り線対１０８は、ワイヤ対ガイド１１２を通る間ずっとしっかりとねじられたままである。対がケーブルジャケット１１０から出てくるときには、その対の間で、その後は、対１０８の個々の導体が、個々のコネクタポート１１４に終端として挿入されるときには、その対の間で、適切な絶縁とシールドが施せる絶縁材料からワイヤ対ガイド１１２およびコネクタポート１１４が、典型的には製造される。
【００３３】
なおも図５および図６を参照すると、ＩＤＣ１０６の適切な組または他の同様の接続手段は、一般に、個々のコンタクトワイヤ１１８と電気的に接続する二股端１１６と、以下に簡単に記述される適切なジャック回路手段と電気的に接続する横長の一端１２０を備え、コネクタポート１１４を通ってコネクタケーブル１０２の個々のワイヤ１１８と接触する。ＩＤＣ１０６を通って個々のワイヤ１１８から送信される信号は、適当なケーブルプラグ（図示されていない）と接続し、かつそこに送信する適切なジャック回路手段によって、引き続いてジャック（例えば、ＲＪ‐４５ジャック）の１２２のような複数のコネクタブレードの各々に導かれる。そのようなジャック回路手段には、ワイヤ、印刷回路基板（ＰＣＢ）、フレキシブル印刷回路基板（Ｆｌｅｘ  ＰＣＢ）またはそれらの組み合わせのような種々の電気部品が含まれてもよい。例示される実施例において、ＩＤＣは、横長のＩＤＣ端１２０を通して、フレキシブルＰＣＢ（図示されていない）および導電ハンダ（図示されていない）のような接続材料に直接接続する。フレキシブルＰＣＢは、その上に印刷された回路を通して、送信された信号を直接コネクタブレード１２２へと導き、必要ならば、それは、並行なコネクタブレード１２２の間に誘導される寄生リアクタンスの影響を相殺する種々の補償容量が含まれるよう設計されてもよい。
【００３４】
なおも図５および図６を参照すると、コネクタ組み立て体１００のコネクタケーブル１０２端で、ＩＤＣ１０６は、一般に、同じコネクタ内（ＮＥＸＴ：Ｎｅａｒ  Ｅｎｄ  Ｃｒｏｓｓｔａｌｋ、ＦＥＸＴ：Ｆａｒ  Ｅｎｄ  Ｃｒｏｓｓｔａｌｋ）か、または互いに近接して位置付けられる２つの隣接するコネクタ間（ＡＦＥＸＴ：Ａｌｉｅｎ  ＦＥＸＴ、ＡＮＥＸＴ：Ａｌｉｅｎ  ＮＥＸＴ）で相互間にある量のクロストークを誘導し、それらは、コネクタを通して送信される信号の質を大きく低下させる。実際、（当業者が一般にＣａｔ．６ｅと称する）強化されたカテゴリ６のケーブル仕様が作られてから、２つの異なるチャンネル（ＡＮＥＸＴおよびＡＦＥＸＴ）間のクロストークがずっと重要になっている。さらには、より高密度かつより高帯域（Ｃａｔ．５ｅ用の１００ＭＨｚに対して５００ＭＨｚ）を絶えず追求することで、ＡＮＥＸＴとＡＦＥＸＴの双方の影響が増大する。従って、平衡をとる方法と構成を以下に提示しており、本発明の例示的な実施例により、同じコネクタ内のみならず隣接するコネクタ間でもＩＤＣクロストークが除去とまではいかなくともかなり低減され、またそれによって、長足の業界標準に合致する手段が提供される。
【００３５】
図７を参照すると、前述のシステムにおけるケーブルとコネクタとのインターフェースは、典型的には、ＩＤＣ型の接続によって提供される。一般には、ＩＤＣは、小さな金属の導電板からなり、図７に横断面が示されると、実質的に平坦な長方形として図で例示され、それは電気ポテンシャルが存在するとき、発信アンテナとして動作し得る。上で詳細に記述されたとおり、近接または隣接するＩＤＣは、受信アンテナとして動作して、そして、発信ＩＤＣによって提供される寄生信号に影響される（または結合される）。従って、妨害するまたは発信するＩＤＣ対１２４が発信する寄生信号が、まさに典型的なアンテナのように、例示された放射パターン１２６におおむね従って、横長の面１２８に対し主として直角の方向で外側に放射される信号１２６を発信する。従って、妨害されるか受信するＩＤＣ対１３０は、放射された信号１２６に影響されて、クロストークの被害にあう。さらには、最初に妨害されたＩＤＣ１３２は、二番目に妨害されたＩＤＣ１３４よりも、その発信するＩＤＣ対１２４に近く配置されていて、その結果、二番目に妨害されたＩＤＣ１３４より最初に妨害されたＩＤＣ１３２について結合効果が大きくなる。加えて、より小さな効果ではあるが最初に妨害されたＩＤＣ１３２は、二番目に妨害されたＩＤＣ１３４に対して部分的にシールドとして働く。結果的に、前者において発信するＩＤＣ対１２４が誘導する寄生信号は、後者において誘導されるものよりも強く、大きくて一般的には望ましくない差動モードノイズを受信対１３０に生成する。
【００３６】
従って、図８Ａおよび図８Ｂを参照し、かつ本発明の第六および第七の代わりの例示的な実施例によって、数字１３６および１３８の各々によって一般的に示される二つの新規なコネクタの構成をここに記述する。構成１３６および１３８は、図７に例示される並行な構成を相当に改善している。すなわち、隣接する対のコンタクト（ＸおよびＹの双方における最初のまたはもっとも近くで隣り合う対）が垂直に配向されて、隣接する対が他方の対が発信する信号の主要ローブ内に直接配置されないようになっており、かつその反対も同様である。これは、同じコネクタ内の隣接する対と隣接するコネクタ内の隣接する対との双方に当てはまる。さらには、隣接する対に影響する放射された残りの信号も、重要度が最小である最悪の生成共通モードノイズでそのような対の双方のコンタクトに対称的に放射されるか、または一つのコンタクトからの寄生信号が二番目のコンタクトの寄生信号によって自己バランスが取られ、そうして大きなノイズを結果的に生成しないものとするように放射される。
【００３７】
図８Ａに例示される実施例をより特定して考慮し、かつ前述の一般的な記述に従うと、第一のコネクタ１４４の第一のコンタクト対１４０および第二のコンタクト対１４２と、第二のコネクタ１５０の第一のコンタクト対１４６と第二のコンタクト対１４８との間の相互作用はより厳密に検査できる。第二のコネクタ１５０の第一のコンタクト対１４６の個々のコンタクト１５６および１５８上で、伝播される信号の差動的な性質を反映する正（＋）および負（−）と例示的かつ各々特徴付けられる第一のコネクタ１４４の第一のコンタクト対１４０の個々のコンタクト１５２および１５４の影響を調べるならば、第二のコネクタ１５０の第一のコンタクト対１４６の双方のコンタクト１５６および１５８上の正のコンタクト１５２が誘発する寄生信号の影響が、同じコンタクト１５６および１５８上の負のコンタクト１５４が誘導する寄生信号によって相殺されるのが観察できる。さらには、対１４６のコンタクトは少なくとも実質的には、対１４０のコンタクトに垂直であるので、後者からの寄生放射に露呈することは前述のとおり最小化される。
【００３８】
なおも図８Ａを参照すると、第二のコネクタ１５０の第二のコンタクト対１４８に対する第一のコネクタ１４４の第二のコンタクト対１４２の影響を調べるならば、第一のコンタクト１６０または第二のコンタクト１６２が放射する寄生信号が第二のコネクタ１５０の第二のコンタクト対１４８の１６４および１６６におけるような双方のコンタクトを対称的に照射し、そうして共通モードノイズを生じさせることが観察できる。第一および第二のコンタクト１６０および１６２の他方に関して同様の効果が生じ、それは差動的な信号であるので、コンタクト１６４および１６６が受信する寄生信号をある程度打ち消す傾向がある。しかしながら、コンタクト１６０は、コンタクト１６２よりも第二のコネクタ１５０の第二のコンタクト対１４８のコンタクト１６４および１６６に近く配置されるので、第一のコンタクト１６０の発信によって受信された寄生信号の力は、第二のコンタクト１６２の発信によって受信された寄生信号よりも大きく、それによって共通モードノイズを生じさせる。加えて、コンタクト１６０はコンタクト１６２をシールドする傾向にあるので、幾分かの共通モードノイズがなおもコンタクト１６４および１６６に誘発される。しかしながら、前述のとおり、そのような共通モードノイズは補償される。
【００３９】
図８Ｂを参照すると、最初の平衡対１７０の１６８のようなコンタクトを、それらが第二の平衡対１７４のコンタクト１７２に垂直で対称的であるように配向することによって、その最初の平衡対１７０の１６８のようなコンタクトの一方または他方が発信する寄生信号が、第二の平衡対１７４のコンタクト１７２のいずれかで共通モードノイズとして受信され、そうしてそれ故に補償される。同じコネクタ上で隣接する平衡対のコンタクト間ならびに図示されるような異なるコネクタ上で隣接する平衡対のコンタクト間で同じ効果が生じる。
【００４０】
例えば、隣接するコンタクト対が垂直であることを制限し、あるいは対の間にある非対称性を再度加えることによって、物理的および機械的な束縛がクロストークの打消しを完全なものとするためのポテンシャルが制限され得ることがあり、そうして、対称的な寄生放射への露呈の効果が低減され、かつ完全な寄生信号のバランスが取れる可能性が制限される。しかしながら、そのような束縛が存在してはいても、上記構成のガイドラインの一般的な適用で、すなわち隣接するまたは最初に隣り合うコンタクト対間で垂直性を増大させ、それらの間で寄生放射を完全に平衡を取るとまではいえないまでも対称性を最適化することで、なおも大きな改善が得られる。
【００４１】
図９を参照すると、横断面が示される本発明の代わりの一連の例示的な実施例により、実質的に平坦なコンタクトを終端する平衡対の間のクロストークおよびエイリアンクロストークを低減すると考えられる（ａ）から（ｈ）で指示される対の構成をここで記述する。最初の対の構成（ａ）は、図８Ａのコネクタの構成１３６において用いられているようなものである。他の対の構成は、前述の構成のガイドラインの全てを必ずしも守ってはいないが、対の間のクロストークを低減する一連の例を提供する。例えば、（ｇ）および（ｈ）は、それらの垂直性のみによって対の間のクロストークを低減し、一方（ａ）および（ｅ）は、それら相互の垂直性および放射の対称性の双方に基づいてクロストークを低減する。（ｃ）は、垂直というよりは互い違いの構成を例示していて、対の間の放射の対称性および誘導される寄生信号の完全な平衡性に基づいてクロストークを低減する。（ｂ）は、三つのガイドライン全てを組み合わせていて、垂直性、対称性および平衡性を提供する。
【００４２】
同時に、双方の平面方向（ＸおよびＹ）においてクロストークを低減する完全なコネクタまたはポートの構成において同様の対の構成を用いることができる。図１０を参照すると、本発明の代わりのさらに一連の実施例により、コネクタまたはポートの構成を記述する。（ａ）および（ｂ）で指示される最初の二つのポートの構成においては、図８Ａおよび図８Ｂでそれぞれ例示される同じ構成１３６および１３８が認められ、それらは、対の間の垂直性と実質的に対称的な寄生信号の発信を双方とも提供する。構成（ｃ）、（ｄ）および（ｅ）は全て、ＸおよびＹの双方で隣接する対間の垂直性を提供するが、対称性は限られており、一方構成（ｆ）は、ＸおよびＹにおいて隣接する対の全てについて垂直性、対称性および平衡性を提供する。結果的に、上記ポートの構成の全ては同じコネクタ内の対の間でクロストークを制限すると考えてもよい。
【００４３】
従って、図１０との関係で図１１を加えて参照すると、かつ本発明の例示される実施例によると、図１０に示される構成（ａ）乃至（ｆ）は隣接するコネクタ間のエイリアンクロストークを低減するのに用いられる。すなわち、図１１のパネル構成は、コネクタ内およびコネクタ間双方の隣接する平衡対間での寄生信号発信の垂直性および対称性によって、同じコネクタ内だけでなくコネクタ間でもまた対間クロストークを低減するコンタクト対の（ＸおよびＹにおいて）二次元的に断続的な構成を例示する。ここで当業者には明らかなように、図１０に例示される例から抽出されるような他のそのような構成を用いることで同様の結果を得ることができる。
【００４４】
そのような構成の利点が、コネクタ組み立て体ワイヤポートの構成に関係して記述され、例示されているが、そのような構成は、ＰＣＢ、ケーブル、コネクタ盤その他の類似の品目のような他のデータ送信製品の設計においてもまた有用であり得ることは、当業者にはここで明らかである。
【００４５】
本発明は、例示的な実施例を参照して記述されているが、この記述は、制限的な意味に解釈されることを意図するものではない。例示的な実施例の様々な変更や組み合わせならびに発明の他の実施例が、本記述を参照して当業者には明らかである。従って、ここに記述された発明は、そのような変更または実施例のいずれをも包含することが意図される。
【図面の簡単な説明】
【００４６】
【図１Ａ】本発明の例示的な実施例による導体の横断面図である。
【図１Ｂ】本発明の例示的な実施例による導体の横断面図である。
【図１Ｃ】本発明の例示的な実施例による導体の横断面図である。
【図２Ａ】本発明の例示的な実施例による発信および受信導体の横断面である。
【図２Ｂ】本発明の例示的な実施例による発信および受信導体の横断面である。
【図３Ａ】本発明の他の例示的な実施例による導体の構成の横断面である。
【図３Ｂ】本発明の第一の例示的な実施例による導体の構成の横断面である。
【図３Ｃ】本発明の第二の例示的な実施例による導体の構成の横断面である。
【図４Ａ】本発明の他の第三の例示的な実施例によるケーブルの構成の横断面である。
【図４Ｂ】本発明の他の第四の例示的な実施例によるケーブルの構成の横断面である。
【図５】本発明の他の第五の例示的な実施例によるコネクタジャックとケーブルの横斜面図である。
【図６】図５のコネクタジャックの裏パネルに接続される撚り線対ケーブルの側平面図である。
【図７】電気ポテンシャルがあるときの標準の圧接コネクタ（ＩＤＣ；Ｉｎｓｕｌａｔｉｏｎ  Ｄｉｓｐｌａｃｅｍｅｎｔ  Ｃｏｎｎｅｃｔｏｒ）が生成する一般的な電磁放射パターンを例示する概略図である。
【図８Ａ】本発明の他の第六の例示的な実施例による低減されたＡＮＥＸＴおよびＡＦＥＸＴ用のコネクタの構成を示す概略図である。
【図８Ｂ】本発明の他の第七の例示的な実施例による低減されたＡＮＥＸＴおよびＡＦＥＸＴ用のコネクタの構成を示す概略図である。
【図９】本発明の一連の他の例示的な実施例による低減されたクロストーク用の他の平衡対の構成を例示する概略図である。
【図１０】本発明の一連の他の例示的な実施例による低減されたクロストーク用の他のコネクタまたはポートの構成を例示する概略図である。
【図１１】本発明の実施例による低減されたＡＮＥＸＴおよびＡＦＥＸＴ用の適当な断続的コネクタの構成を示す概略図である。
【図１Ａ】
2008521180.tif 000003
【図１Ｂ】
2008521180.tif 000004
【図１Ｃ】
2008521180.tif 000005
【図２Ａ】
2008521180.tif 000006
【図２Ｂ】
2008521180.tif 000007
【図３Ａ】
2008521180.tif 000008
【図３Ｂ】
2008521180.tif 000009
【図３Ｃ】
2008521180.tif 000010
【図４Ａ】
2008521180.tif 000011
【図４Ｂ】
2008521180.tif 000012
【図５】
2008521180.tif 000013
【図６】
2008521180.tif 000014
【図７】
2008521180.tif 000015
【図８Ａ】
2008521180.tif 000016
【図８Ｂ】
2008521180.tif 000017
【図９】
2008521180.tif 000018
【図１０】
2008521180.tif 000019
【図１１】
2008521180.tif 000020
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
データ送信システムにおける第一および第二のケーブル間のクロストークを低減する方法であって、各ケーブルは、一対の導体を備えており、
該第一のケーブルの該一対の導体の第一の導体と相互接続される第一のコンタクトを提供し、前記第一のコンタクトは、第一の信号を発するステップと、
一対のコンタクトを提供し、前記一対のコンタクトの各々は、該第二のケーブルの該一対の導体の異なる導体と相互接続されるステップと、
前記第二の対のコンタクトの一方で受信される前記第一の信号の振幅が、前記第二の対のコンタクトの他方で受信される前記第一の信号の振幅と実質的に同じになるように、前記一対のコンタクトに対して前記第一のコンタクトを位置決めするステップと
を備える方法。
【請求項２】
該第一のケーブルの該一対の導体の第二の導体と相互接続される第二のコンタクトを提供し、前記第二のコンタクトは、第二の信号を発信するステップと、前記第二の対のコンタクトの一方で受信される前記第二の信号の振幅が、前記第二の対のコンタクトの他方で受信される前記第二の信号の振幅と実質的に同じになるように、前記一対のコンタクトに対して前記第二のコンタクトを位置決めするステップをさらに備える請求項１に記載の方法。
【請求項３】
前記コンタクトの各々は、実質的に平坦であり、かつ前記位置決めステップは、前記第一のコンタクトの横長の面が前記一対のコンタクトの各々の横長の面に垂直となるような前記コンタクトの配向を備える請求項１に記載の方法。
【請求項４】
前記位置決めステップは、前記第一のコンタクトの周りへの前記一対のコンタクトの対称的な配置を備える請求項１に記載の方法。
【請求項５】
前記位置決めステップは、前記一対のコンタクトの各々から同じ距離への前記第一のコンタクトの配置を備える請求項１に記載の方法。
【請求項６】
前記一対のコンタクトの各々は実質的に平坦であり、前記位置決めステップは、前記一対のコンタクトのいずれかの横長の面への法線が、前記第一のコンタクトと交差しないような前記第一のコンタクトの配置を備える請求項１に記載の方法。
【請求項７】
該一対の導体の各々がねじられている請求項１に記載の方法。
【請求項８】
該一対の導体の各々が並行である請求項１に記載の方法。
【請求項９】
データ送信システムにおける第一および第二のケーブル間のクロストークを低減する方法であって、該ケーブルの各々は、一対の導体を備え、
一対の導体を提供し、前記一対のコンタクトの各々は、該第一のケーブルの該一対の導体の異なる導体と相互接続され、前記一対の導体の一方が、前記一対のコンタクトの他方が発する第二の信号を実質的に反転させた第一の信号を発するステップと、
該第二のケーブルの該一対の導体の一方と相互接続される少なくとも一つの第一のコンタクトを提供するステップと、
前記第一のコンタクトが受信する前記第一の信号の振幅が、前記第一のコンタクトが受信する前記第二の信号の振幅と実質的に反対となるように、前記第一のコンタクトに対して前記一対のコンタクトを位置決めするステップと
を備える方法。
【請求項１０】
該第二のケーブルの該一対の導体の第二の導体と相互接続される第二のコンタクトを提供するステップと、前記第二のコンタクトが受信する前記第一の信号の振幅が、前記第二のコンタクトが受信する前記第二の信号の振幅と実質的に反対となるように、前記第二のコンタクトに対して前記一対のコンタクトを位置決めするステップをさらに備える請求項９に記載の方法。
【請求項１１】
前記コンタクトの各々が実質的に平坦であり、前記位置決めステップが、前記第一のコンタクトの横長の面が前記一対の導体のいずれかの長い面に垂直となるような前記コンタクトの配向を備える請求項９に記載の方法。
【請求項１２】
前記位置決めステップが、前記第一のコンタクトの周りへの前記一対のコンタクトの対称的な配置を備える請求項９に記載の方法。
【請求項１３】
前記位置決めステップは、前記一対のコンタクトの各々から同じ距離への前記第一のコンタクトの配置を備える請求項９に記載の方法。
【請求項１４】
前記一対のコンタクトの各々は実質的に平坦であり、前記位置決めステップは、前記一対のコンタクトのいずれかの横長の面への法線が前記第一のコンタクトと交差しないような前記第一のコンタクトの配置を備える請求項９に記載の方法。
【請求項１５】
通信システムにおいて第一および第二のケーブルを終端する組み立て体であって、各ケーブルは第一および第二の導体を備え、
該第一のケーブルの第一の導体と相互接続される第一のコンタクトであって、第一の信号を発信する前記第一のコンタクトと、
該第二のケーブルの第一および第二の導体の一方とそれぞれ相互接続される一対のコンタクトと
を備え、前記一対の導体の一方で受信される前記第一の信号の振幅が、前記一対のコンタクトの他方で受信される前記第一の信号の振幅と実質的に同じになるように、前記第一のコンタクトが前記一対のコンタクトに対して位置決めされる組み立て体。
【請求項１６】
該第一のケーブルの第二の導体と相互接続される第二のコンタクトをさらに備え、前記第二のコンタクトは第二の信号を発信し、かつ前記一対のコンタクトの一方で受信される前記第二の信号の振幅が、前記一対のコンタクトの他方で受信される前記第二の信号の振幅と実質的に同じになるように、前記第二のコンタクトが前記一対のコンタクトに対して位置決めされる請求項１５に記載の組み立て体。
【請求項１７】
前記第一および第二のコンタクトが実質的に平坦であり、かつ前記第一のコンタクトの横長の面が前記第二のコンタクトの横長の面と並行である請求項１６に記載の組み立て体。
【請求項１８】
前記第一のコンタクトの前記横長の面が前記第二のコンタクトの前記横長の面と反対側に配置される請求項１７に記載の組み立て体。
【請求項１９】
前記一対のコンタクトが実質的に平坦であり、かつさらに前記第一のコンタクトの前記横長の面と前記第二のコンタクトの前記横長の面とが前記一対のコンタクトのいずれかの横長の面に対して直角をなす請求項１７に記載の組み立て体。
【請求項２０】
前記コンタクトが該組み立て体の第一の面上に配置され、かつその第二の面に成型されるケーブルプラグを受け入れるのに適した複数のソケットを備え、前記ソケットの一番目と二番目がその中に配置される複数のコネクタブレードを備え、前記第一のソケットの前記ブレードの一つが前記第一のコンタクトと相互接続され、かつ前記第二のソケットの一対のブレードがそれぞれ前記一対のコンタクトの一つと相互接続される請求項１５に記載の組み立て体。
【請求項２１】
さらにパッチパネルを備え、かつ前記第一のコンタクトが第一のモジュラーコネクタの第一の面に配置され、前記一対のコンタクトが第二のモジュラーコネクタの第一の面に配置され、前記コネクタは該パッチパネルに挿入されるように適合されている請求項１５に記載の組み立て体。
【請求項２２】
前記コネクタは前記パッチパネルにおいて横に並べて配置される請求項２１に記載の組み立て体。
【請求項２３】
前記コネクタは前記パッチパネルにおいて上下に重ねて配置される請求項２１に記載の組み立て体。
【請求項２４】
前記コネクタの各々は、その第二の面上に成型されるケーブルプラグを受け入れるように適合されるソケットをさらに備え、前記ソケットの各々は、その中に配置される複数のコネクタブレードを有し、前記第一のコネクタの前記ソケットの前記ブレードの一つは前記第一のコンタクトと相互接続され、かつ前記第二のコネクタの前記ソケットの一対のブレードはそれぞれ前記第二の対のコンタクトの一つと相互接続される請求項２１に記載の組み立て体。
【請求項２５】
前記第一および第二のモジュラーコネクタは、モジュラージャックである請求項２１または２４に記載の組み立て体。
【請求項２６】
各ケーブルが４つの撚り線対の導体を備え、かつ前記ソケットの各々がその中に配置される８つのブレードを備える請求項２０に記載の組み立て体。
【請求項２７】
前記ソケットの各々が、ＲＪ‐４５コネクタプラグを受け入れるよう適合される請求項２０または２４に記載の組み立て体。
【請求項２８】
前記一対のコンタクトが、前記第一のコンタクトの周りに対称的に位置付けられる請求項１５に記載の組み立て体。
【請求項２９】
前記コンタクトが実質的に平坦であり、かつ前記第一のコンタクトが前記一対のコンタクトに対して直角をなす請求項１５に記載の組み立て体。
【請求項３０】
前記一対の平坦なコンタクトは、並行に配置される請求項２９に記載の組み立て体。
【請求項３１】
前記一対の平坦なコンタクトは、同一平面に横たわる請求項２９に記載の組み立て体。
【請求項３２】
前記平坦なコンタクトは、ＩＤＣである請求項２９に記載の組み立て体。
【請求項３３】
通信システムにおける第一および第二のケーブルを終端する組み立て体であって、各ケーブルが一対の導体を備え、
第一のケーブルの該一対の導体と相互接続される一対のコンタクトであって、前記一対のコンタクトの一方は、前記一対のコンタクトの他方が発信する第二の信号を実質的に反転させた第一の信号を発信する一対のコンタクトと、
第二のケーブルの該一対の導体の第一の導体と相互接続される第一のコンタクトと
を備え、前記第一のコンタクトが受信する前記第一の信号の振幅が、前記第一のコンタクトが受信する前記第二の信号の振幅と実質的に反対となるように、前記一対のコンタクトが前記第一のコンタクトに対して位置付けられる組み立て体。
【請求項３４】
第二のケーブルの該一対の導体の第二の導体と相互接続される第二のコンタクトをさらに備え、かつ前記第二のコンタクトが受信する前記第一の信号の振幅が、前記第二のコンタクトが受信する前記第二の信号の振幅と実質的に反対になるように、前記一対のコンタクトが前記第二のコンタクトに対して位置付けられる請求項３３に記載の組み立て体。
【請求項３５】
前記第一および第二のコンタクトが実質的に平坦であり、かつ前記第一のコンタクトの横長の面が前記第二のコンタクトの横長の面と並行である請求項３４に記載の組み立て体。
【請求項３６】
前記第一のコンタクトの前記横長の面と前記第二のコンタクトの前記横長の面とが同一面に横たわる請求項３５に記載の組み立て体。
【請求項３７】
前記一対のコンタクトが実質的に平坦であり、かつさらに前記第一のコンタクトの前記横長の面と前記第二のコンタクトの前記横長の面とが前記一対のコンタクトのいずれかの横長の面に対して直角をなす請求項３５に記載の組み立て体。  
【請求項３８】
通信システムにおいて第一および第二のケーブルを終端する組み立て体であって、各ケーブルは一対のコンダクタを備え、
該第一のケーブルの該一対の導体の一方と相互接続される第一の実質的に平坦なコンタクトと、
該第二のケーブルの該一対の導体の一方と相互接続され、前記第一のコンタクトは、前記第二のコンタクトに直角に配置される第二の実質的に平坦なコンタクトと
を備える組み立て体。
【請求項３９】
通信システムにおいて第一および第二のケーブルを終端する組み立て体であって、各ケーブルは一対のコンダクタを備え、
該第一のケーブルの該一対の導体の一方と相互接続される第一のコンタクトと、
該第二のケーブルの該一対の導体の一方とそれぞれが相互接続される一対のコンタクトであって、前記第一のコンタクトの周りに対称的に位置付けられる一対のコンタクトと
を備える組み立て体。
【請求項４０】
前記第一のコンタクトおよび前記一対のコンタクトが実質的に平坦であり、前記一対のコンタクトが並行であって、前記第一のコンタクトが前記一対のコンタクトに垂直である請求項３９に記載の組み立て体。
【請求項４１】
前記一対の平坦なコンタクトが、横に並べられて配列される請求項４０に記載の組み立て体。
【請求項４２】
前記一対の平坦なコンタクトが、相互に向かい合って位置決めされる請求項４０に記載の組み立て体。
【請求項４３】
前記コンタクトがＩＤＣである請求項４０に記載の組み立て体。
【請求項４４】
第一および第二の対の導体を備えるケーブルを終端するコネクタであって、
該第一の対の導体の一つの導体と相互接続される第一のコンタクトと、
該第二の対の導体の一つとそれぞれ相互接続される一対のコンタクトであって、前記第一のコンタクトの周りに対称的に位置付けられる一対のコンタクトと
を備えるコネクタ。
【請求項４５】
前記コンタクトが実質的に平坦であり、前記一対のコンタクトが並行であり、かつ前記第一のコンタクトが前記一対のコンタクトに垂直である請求項４４に記載のコネクタ。
【請求項４６】
前記一対の平坦なコンタクトが、横に並べて配列される請求項４５に記載のコネクタ。
【請求項４７】
前記一対の平坦なコンタクトが、相互に向き合って位置付けられる請求項４５に記載のコネクタ。
【請求項４８】
前記平坦なコンタクトがＩＤＣである請求項４４に記載のコネクタ。
【請求項４９】
前記コンタクトが該コネクタの第一の面上に配置され、その第二の面において成型されるケーブルプラグを受けるよう適合されるソケットをさらに備え、前記ソケットはその中に配置される複数のコネクタブレードを備え、かつ前記コンタクトの各々は前記コネクタブレードの異なるものと相互接続される請求項４５に記載のコネクタ。
【請求項５０】
該コネクタは、モジュラーであって、パッチパネルに挿入されるよう適合される請求項４９に記載のコネクタ。
【請求項５１】
該ケーブルは、導体のねじられた４対を備え、かつ前記ソケットの各々はその中に配置される８つのブレードを備える請求項４９に記載のコネクタ。
【請求項５２】
前記ソケットは、ＲＪ‐４５コネクタプラグを受け入れるよう適合されている請求項４９または５１に記載のコネクタ。
【請求項５３】
第一および第二の対の導体を備えるケーブルを終端するコネクタであって、
該第一の対の導体の一つの導体と相互接続される第一の実質的に平坦なコンタクトと、
該第二の対の導体の第一の導体と相互接続される第二の実質的に平坦なコンタクトであって、前記第一の平坦なコンタクトは、前記第二の平坦なコンタクトに実質的に直角である第二の実質的に平坦なコンタクトと
を備えるコネクタ。
【請求項５４】
前記第二の平坦なコンタクトと整列される第三の実質的に平坦なコンタクトをさらに備え、前記第三の平坦なコンタクトは、第二の対の導体の第二の導体と相互接続され、かつ前記第二および第三のコンタクトは、前記第一のコンタクトの周りに対称的に配置される５３に記載のコネクタ。
【請求項５５】
データ送信システムにおけるクロストークを低減する方法であって、
少なくとも一つの第一の導体を備える第一の送信路を提供し、前記第一の導体は信号を発信するステップと、
第二の対の導体を備える第二の送信路を提供するステップと、
前記第二の対の導体の一方に沿って受信される前記信号の振幅が、前記第二の対の導体の他方に沿って受信される前記信号の振幅と実質的に同じになるように、前記第二の対の導体に対して前記第一の導体を位置付けるステップと
を備える方法。
【請求項５６】
前記導体の各々が印刷回路基板（ＰＣＢ）上にエッチングされた導体跡を備える請求項５５に記載の方法。
【請求項５７】
前記第一および第二の送信路をケーブルの筐体で取り囲むステップをさらに備える請求項５５に記載の方法。
【請求項５８】
前記第一の送信路がさらに第二の導体を備え、前記第二の導体は第二の信号を発信し、かつ前記第二の対のコンタクトの一方で受信される前記第二の信号の振幅が、前記第二の対のコンタクトの他方で受信される前記第二の信号の振幅と実質的に同じになるように、前記一対の導体に対して前記第二の導体を位置付けするステップをさらに備える請求項５５に記載の方法。
【請求項５９】
前記位置付けのステップが、前記第一の導体の周りへの前記一対の導体の対称的な配置を備える請求項５５に記載の方法。
【請求項６０】
前記導体が並行に配置される請求項５５に記載の方法。
【請求項６１】
前記位置付けのステップが、前記一対の導体の各々から同じ距離への前記第一の導体の配置を備える請求項５５に記載の方法。
【請求項６２】
前記導体の各々が横長の横断面を備え、かつ前記位置付けのステップが、前記一対の導体のいずれかの横長の面への法線が前記第一の導体と交差しないような前記第一の導体の配置を備える請求項５５に記載の方法。
【請求項６３】
前記導体の各々が横長の横断面を備え、かつ前記位置付けのステップが、前記第一の導体の横長の面が前記一対の導体の各々の横長の面と垂直になるような前記導体の配向を備える請求項５５に記載の方法。
【請求項６４】
データ送信システムにおいてクロストークを低減する方法であって、
第一の導体を備える第一の送信路を提供し、
一対の導体を備える第二の送信路を提供し、前記一対の導体の一方は、前記一対の導体の他方が発信する第二の信号を実質的に反転させた第一の信号を発信するステップと、
前記第一の導体が受信する前記第一の信号の振幅が、前記第一の導体が受信する前記第二の信号の振幅と実質的に反対になるように前記第一の導体に対して前記一対の導体を位置付けするステップと
を備える方法。
【請求項６５】
前記第一の送信路は、さらに第二の導体を備え、かつ前記第二の導体が受信する前記第一の信号の振幅が、前記第二の導体が受信する前記第二の信号の振幅と実質的に反対になるように、前記第二の導体に対して前記一対の導体を位置付けるステップをさらに備える請求項６４に記載の方法。
【請求項６６】
前記位置付けのステップは、前記一対の導体の前記第一の導体の周りへの対称的な配置を備える請求項６４に記載の方法。
【請求項６７】
前記導体は並行に配置される請求項６４に記載の方法。
【請求項６８】
前記位置付けのステップは、前記一対の導体の各々から同じ距離への前記第一の導体の配置を備える請求項６４に記載の方法。
【請求項６９】
前記導体の各々は横長の横断面を備え、かつ前記位置付けのステップは、前記一対の導体のいずれかの横長の面への法線が前記第一の導体に交わらないような前記第一の導体の配置を備える請求項６４に記載の方法。
【請求項７０】
前記導体の各々は横長の横断面を備え、かつ前記位置付けのステップが、前記第一の導体の横長の面が前記一対の導体の各々の横長の面に垂直となるような前記導体の配向を備える請求項６４に記載の方法。
【請求項７１】
データを送信する組み立て体であって、
第一の導体を備える第一の送信路であって、前記第一の導体は第一の信号を発信する第一の送信路と、
一対の導体を備える第二の送信路と
を備え、前記一対の導体の一方に沿って受信される前記第一の信号の振幅は、前記一対の導体の他方に沿って受信される前記第一の信号の振幅と実質的に同じになるように、前記第一の導体が前記一対の導体に対して位置付けされる組み立て体。
【請求項７２】
前記導体の各々が印刷回路基板（ＰＣＢ）上の導体跡を備える請求項７１に記載の組み立て体。
【請求項７３】
前記導体の全てが並行である請求項７１に記載の組み立て体。
【請求項７４】
前記一対の導体の各々が前記第一の導体から実質的に等距離である請求項７１に記載の組み立て体。
【請求項７５】
前記導体の各々が外部絶縁層をさらに備え、かつ該組み立て体が前記導体を取り囲むケーブルジャケットをさらに備える請求項７１に記載の組み立て体。
【請求項７６】
前記第一の送信路が第二の導体をさらに備え、前記第二の導体は第二の信号を発信し、かつ前記第二の対の導体の一方で受信される前記第二の信号の振幅が、前記第二の対の導体の他方で受信される前記第二の信号の振幅と実質的に同じになるように前記第二の導体が位置付けられる請求項７１に記載の組み立て体。
【請求項７７】
前記第一および第二の導体が並行である請求項７６に記載の組み立て体。
【請求項７８】
前記一対の導体が並行であり、かつさらに前記第一の導体が前記第二の導体と前記一対の導体との間に位置付けられる請求項７７に記載の組み立て体。
【請求項７９】
データを送信する組み立て体であって、
第一の導体を備える第一の送信路と、
一対の導体を備える第二の送信路であって、前記一対の導体の一方が、前記一対の導体の他方が発信する第二の信号を実質的に反転させた第一の信号を発信する第二の送信路と
を備え、前記第一の導体によって受信される前記第一の信号の振幅が、前記第一の導体が受信する前記第二の信号の振幅と実質的に反対になるように、前記第一の導体が前記一対の導体に対して位置付けられる組み立て体。
【請求項８０】
前記導体の各々が印刷回路基板（ＰＣＢ）上の導体跡を備える請求項７９に記載の組み立て体。
【請求項８１】
前記導体の全てが並行である請求項７９に記載の組み立て体。
【請求項８２】
前記一対の導体の各々が前記第一の導体から実質的に等距離にある請求項７９に記載の組み立て体。
【請求項８３】
前記導体の各々が外部絶縁層を備え、かつ該組み立て体が、前記導体を取り囲むケーブルジャケットをさらに備える請求項７９に記載の組み立て体。
【請求項８４】
前記第一の送信路がさらに第二の導体を備え、かつさらに前記第二の導体で受信される前記第一の信号の振幅が、前記第二の導体で受信される前記第二の信号の振幅と実質的に反対になるように、前記第二の導体が位置決めされる請求項７９に記載の組み立て体。
【請求項８５】
前記第一および第二の導体が並行である請求項８４に記載の組み立て体。
【請求項８６】
前記一対の導体が並行であり、かつさらに前記第一の導体が前記第二の導体と前記一対の導体との間に位置決めされる請求項８５に記載の組み立て体。
【請求項８７】
データ送信ケーブルであって、
第一の導体と、
前記第一の導体と並行に配置される一対の導体と、
前記第一の導体と前記一対の導体を取り囲むケーブルジャケットと
を含み、前記第一の導体と前記一対の導体の各々との間の距離が実質的に同じであるデータ送信ケーブル。
【請求項８８】
前記第一の導体に並行でかつ前記ケーブルジャケットに取り囲まれる第二の導体をさらに備え、前記第二の導体と前記一対の導体の各々との間の距離が実質的に同じである請求項８７に記載のケーブル。
【請求項８９】
前記第一の導体と前記第二の導体との間の距離が、前記一対の導体の間の距離と実質的に同じである請求項８８に記載のケーブル。
【請求項９０】
前記第一の導体を前記一対の導体から分離するセパレータースプラインをさらに備える請求項８７に記載のケーブル。
【請求項９１】
該ケーブルが４対の並行な導体を備え、かつ前記スプラインは卍型の横断面を有する請求項８７に記載のケーブル。
【請求項９２】
前記導体は、実質的に平坦な横断面を有し、かつさらに前記第一の導体は、前記一対の導体に直角に配置される請求項８７に記載のケーブル。
【請求項９３】
前記導体は、実質的に平坦な横断面を有し、かつさらに前記第一および第二の導体は、前記一対の導体に直角に配置される請求項８８に記載のケーブル。
【請求項９４】
データ送信ケーブルであって、
第一の平面上に配列される並行な第一の対の導体と、
第二の平面上に配列される第二の対の導体と
を備え、前記第一の平面は前記第二の平面に対し実質的に直角であって、かつ前記第一の平面は、実質的に導体の前記第二の対の間にある軸に沿って前記第二の平面と交差するデータ送信ケーブル。
【請求項９５】
前記第一の対の導体間の間隔は、前記第二の対の導体間の間隔に実質的に等しい請求項９４に記載のケーブル。
【請求項９６】
前記第一の平面に実質的に並行な第三の面上に配列される並行な第三の対の導体および前記第二の平面に実質的に並行な第四の平面上に配列される並行な第四の対の導体をさらに備え、前記第三の平面が、実質的に前記第四の対の導体の間にある軸に沿って前記第四の平面と交差する請求項９４に記載のケーブル。
【請求項９７】
前記第二の平面が、実質的に前記第三の対の導体の間にある軸に沿って前記第三の平面と交差し、かつ前記第四の平面が、実質的に前記第一の対の導体の間にある軸に沿って前記第一の平面と交差する請求項９６に記載のケーブル。
【請求項９８】
前記一対の導体が、該ケーブルに沿って走る中央軸の周りに配置され、かつさらに、前記平面は該ケーブルの長さに沿った前記軸の周りに螺旋状に曲がっている請求項９７に記載のケーブル。
【請求項９９】
前記一対の導体を分離するセパレータースプラインをさらに備える請求項９７に記載のケーブル。
【請求項１００】
前記スプラインは卍型の横断面を有する請求項９９に記載のケーブル。
【請求項１０１】
前記導体は実質的に平坦な横断面を有し、かつさらに、前記第一の対の導体の前記平坦な横断面が前記第一の平面と整列され、かつ前記第二の対の導体の前記平坦な横断面が前記第一の平面と整列される請求項９４に記載のケーブル。
【請求項１０２】
コミュニケーションケーブルにおける一対の導体を分離するセパレータースプラインであって、
４つの辺を有する横長の主要部と、
前記主要部の各辺において縦に成型された導体対受けスロットと
を備え、前記成型された主要部は、卍型の横断面を有するスプライン。
【国際調査報告】
2008521180.tif 000021
2008521180.tif 000022
2008521180.tif 000023
2008521180.tif 000024